(57)【要約】【課題】  トーションレース機の編組中において、ボビンの糸上がりを監視する手段がなかったために、各ボビンが完全糸上がりとなる前に、各ボビンの最小限の残糸状態を検知し警告又は停止信号を発するようにして、機械を停止させ、ボビンの交換などの処置を行うことができるようにする。【解決手段】  糸巻きされたボビンに対して監視可能に、独立した歯車付きの駆動モータより回動する歯付き円盤状部材が往復運行する支承手段を介してセンサを設け、編組時の前記ボビンの残糸状態を検知可能に構成する。【選択図】  図１
2008150715.tif 000002
【特許請求の範囲】
【請求項１】
糸巻きされたボビンがヤーンガイドスピンドルに嵌挿され、機台上で円形状に配列されて、前記糸巻きボビン相互が交互に位置を変え円周方向に運行して編組するトーションレース機において、糸巻きされたボビンに対して監視可能に、支承手段を介してセンサを設け、編組時に前記ボビンの残糸状態を検知可能に構成したことを特徴とするトーションレース機におけるボビンの糸上がり監視装置。
【請求項２】
センサは、光電センサとアンプによりなる検知手段よりなり、少なくとも１つの光電センサをボビンの近辺で、ボビンの運行方向に回動させて、前記検知手段により、糸巻きボビンの残糸状態を検知するようにしたことを特徴とする請求項１に記載のトーションレース機におけるボビンの糸上がり監視装置。
【請求項３】
支承手段は、前記円形状に配列されたボビンの機台中央を回転中心として、駆動モータにより回動する歯付き円盤状部材と、該歯付き円盤状部材の一部に取り付けてなるアームであることを特徴とする請求項１又は請求項２に記載のトーションレース機におけるボビンの糸上がり監視装置。
【請求項４】
編組中に、光電センサで検出したボビン及び残糸を含む糸巻きボビンの色調レベルなどの検知信号の値と、あらかじめアンプに入力しておいたボビン及び残糸を含む糸巻きボビンの色調レベルなどの設定データの値とを比較することで、ボビンの残糸状態を認識し糸上がりの前に警告信号又は機械の運転停止信号を発して、編組時の糸上がりを防止するようにしたことを特徴とする請求項１〜請求項３のいずれか１項に記載のトーションレース機におけるボビンの糸上がり監視装置。
【発明の詳細な説明】
【技術分野】
【０００１】
本発明は、トーションレース機におけるボビンの糸上がり監視装置に関する。
【背景技術】
【０００２】
従来、トーションレース機においてはボビンの糸上がり監視装置としてはなく、ボビンが完全糸上がりになる前に、作業者が常にボビンの残糸状態を見回り、目視にて機械を止めている。又は、空ボビンになって落下する糸切れのためのストッパーによって機械が停止され、糸巻きされた新しいボビンと交換している。
なぜなら、個々に糸消費量が異なるボビンでも、ボビンの残糸があるうちに早めに交換しないと糸上がりとなった糸端が他の組糸と絡んだり、リードナイフで生地に引き込まれたりしてクモの巣状態となる原因となるからである。
【０００３】
又、ボビンの残糸を検出する方法については、特許文献１，２にあるように、ボビンの管部と残糸の有無を検出する方法が精紡機に用いられ利用されている。
特許文献１に開示されているものは、カラーセンサを利用して、ボビンの残糸の有無を判別するようにしたものである。更に、特許文献２に開示されているものは、品種別に色分けされたボビンに巻き付いている残糸の有無を検出するようにしたものである。
【特許文献１】特開平２−２２１０７３号公報
【特許文献２】特開平６−１１５８２０号公報
【発明の開示】
【発明が解決しようとする課題】
【０００４】
しかしながら、上記各公報に記載されているボビンの管部と残糸の有無を検出する方法については、ボビンとセンサ間の距離が一定に保たれている構成において、ボビンの残糸を検出するようにしたものであって、しかも精紡機に用いられているにすぎず、トーションレース機のように柄制御に基づく不特定のボビン運行がなされるものではない。
又、従来のトーションレース機においては、ボビンの糸上がりを監視する手段がなかったために、都度作業者がボビンの残糸状態を見回りしなければならないなど作業性の点で問題があった。
本発明は、上記に鑑みてなしたもので、トーションレース機におけるボビンの最少限の残糸状態を検知し警告又は停止信号を発するようにして、機械を停止させ、ボビンの交換などの処置を行うことができるようにすることで、見回り作業を軽減するとともに、使用糸のを有効利用を図ることを目的としたものである。
【課題を解決するための手段】
【０００５】
本発明は、糸巻きされたボビンがヤーンガイドスピンドルに嵌挿され、機台上で円形状に配列されて、前記糸巻きボビン相互が交互に位置を変え円周方向に運行して編組するトーションレース機において、糸巻きされたボビンに対して監視可能に、支承手段を介してセンサを設け、編組時に前記ボビンの残糸状態を検知可能に構成したものである。
【発明の効果】
【０００６】
本発明は、ボビンの最小限の残糸状態を検知し、機械の停止を行うことで作業者の見回り作業の軽減による作業性の改善と品質の向上効果があがる。
【発明を実施するための最良の形態】
【０００７】
センサは、光電センサとアンプによりなる検知手段よりなり、少なくとも１つの光電センサをボビンの近辺で、ボビンの運行方向に回動させて、前記検知手段により、糸巻きボビンの残糸状態を検知するように構成したことで、見回り作業を軽減できる効果がある。
【０００８】
支承手段は、前記円形状に配置されたボビンに機台中央を回転中心として、駆動モータにより回動する歯付き円盤状部材と、該歯付き円盤状部材の一部に取り付けてなるアームであることに構成したことで、安価なコストで装備できる効果がある。
【０００９】
編組中に、光電センサで検出したボビン及び残糸を含む巻糸ボビンの色調レベルなどの検知信号の値と、あらかじめアンプに入力しておいたボビン及び残糸を含む巻糸ボビンの色調レベルなどの設定データの値とを比較することで、ボビンの残糸状態を認識し糸上がりの前に警告信号又は機械の運転停止信号を発して、編組時の糸上がりを防止できるので、稼働率の向上と品質向上の効果がある。
【実施例】
【００１０】
本発明において最良の実施形態を図面に示す実施例に基づいて説明する。
【００１１】
図１は、本発明の１実施例に係るトーションレース機の糸上がり監視装置が組み込まれたトーションレース機を示す概略斜視図であり、１はトーションレース機本体、２は糸上がり監視装置である。
【００１２】
図において、３はヤーンガイドスピンドル、４はヤーンガイドスピンドル３に嵌挿されてなる糸巻きボビンである。５はスピンドルプレートであり、機台６上の円形状に配列してなる複数のヤーンガイドスピンドル３を立設している。
【００１３】
７はリードナイフ、８は糸捌き部であり、駆動手段としては図示しないが原動モータにより周知のトーションレース機のように駆動される。
【００１４】
糸上がり監視装置２は、支承手段と検知手段より構成され支承手段は、円形状に配置された糸巻きボビン４の機台中央を回転中心として、独立した歯車１４付きの駆動モータ９により回動する歯付き円盤状部材１０と、該歯付き円盤状部材１０の一部に取り付けてなるアーム１１である。検知手段と支承手段は各三組あり、三組の光電センサ１２とアンプ１３が全周で１２０゜ずつずれた位置に設けられて構成されている。
【００１５】
編組中においては、隣接する糸巻きボビン４，４相互が柄制御により交互に位置を変えて円周方向に運行して編組するのに対し、独立した歯車１４付きの駆動モータ９より回動する歯付き円盤状部材１０が往復運行する支承手段を介して、該歯付き円盤状部材１０上部に取り付けられたアーム１１上に光電センサ１２が設けられた検知手段を、糸巻きボビンの運行方向に回動させながら、糸巻きボビンの残糸状態を検知する。
【００１６】
そして編組中に、光電センサで検出したボビン及び残糸を含む糸巻きボビンの色調レベルなどの検知信号の値と、あらかじめアンプに入力しておいたボビン及び残糸を含む糸巻きボビンの色調レベルなどの設定データの値とを比較することで、ボビンの残糸状態を認識し、糸上がりの前に警告信号又は機械運転停止信号を発して、編組時の糸上がりを防止するものである。
【図面の簡単な説明】
【００１７】
【図１】本発明の１実施例に係るトーションレース機の糸上がり監視装置が組み込まれたトーションレース機を示す概略斜視図。
【符号の説明】
【００１８】
１  トーションレース機
２  糸上がり監視装置
３  ヤーンガイドスピンドル
４  糸巻きボビン
５  スピンドルプレート
６  機台
７  リードナイフ
８  糸捌き部
９  駆動モータ
１０  歯付き円盤状部材
１１  アーム
１２  光電センサ
１３  アンプ
１４  歯車
【図１】
2008150715.tif 000003